(57)【特許請求の範囲】
【請求項１】
口部、肩部、胴部、及び底部を備え、
前記胴部が、
コーナーを円弧状に丸めた矩形状の横断面形状を有する胴部上端部及び胴部下端部と、
前記胴部上端部と前記胴部下端部との間に位置し、前記胴部上端部と前記胴部下端部に対して、容器内方に絞り込まれた胴部主部と
を含み、
前記胴部主部が、
高さ方向に沿って容器内方に凸となるように湾曲し、かつ、横幅方向に沿って容器外方に凸となるように湾曲するベース面を有し、前記ベース面の横幅方向中央部に、高さ方向及び横幅方向に沿って容器内方に凸となる曲面によって形成された帯状の減圧吸収誘導部が、高さ方向に延在して設けられた主面と、
高さ方向に沿って容器内方に凸となるように湾曲する側面と
を備えることを特徴とする合成樹脂製容器。
【請求項２】
前記ベース面が双曲放物面状に形成され、前記減圧吸収誘導部が楕円放物面状に形成された請求項１に記載の合成樹脂製容器。
【請求項３】
前記減圧吸収誘導部の両側縁部間の間隔が、前記胴部主部の高さ方向中央部で最少となるように、高さ方向に沿って徐々に変化する請求項１又は２に記載の合成樹脂製容器。
【請求項４】
前記減圧吸収誘導部の上端縁部が上方に凸の円弧状に形成されるとともに、前記減圧吸収誘導部の下端縁部が下方に凸の円弧状に形成され、それぞれの曲率半径が１０〜４０ｍｍである請求項１〜３のいずれか一項に記載の合成樹脂製容器。
【請求項５】
前記減圧吸収誘導部の上端縁部又は下端縁部の少なくとも一方に、円弧状とされた形状に沿って横リブを設けた請求項４に記載の合成樹脂製容器。
【請求項６】
前記減圧吸収誘導部に、横幅方向に延在する一又は複数の横リブを設けた請求項１〜５のいずれか一項に記載の合成樹脂製容器。
【請求項７】
前記減圧吸収誘導部の上方側に設けられる前記横リブが、縦断面形状がＶ字状の凹溝である請求項５又は６に記載の合成樹脂製容器。
【請求項８】
前記側面の横幅方向中央に、横断面形状が容器内方に湾曲する凹形状となる縦溝を高さ方向に沿って形成した請求項１〜７のいずれか一項に記載の合成樹脂製容器。
【請求項９】
前記縦溝の左右両側に設けた延長部を介して、前記側面を前記主面に接続した請求項８に記載の合成樹脂製容器。
【発明の詳細な説明】
【技術分野】
【０００１】
本発明は、ホットパックにより内容物を充填、密封する際の容器内の圧力変化を吸収可能な合成樹脂製容器に関する。
【背景技術】
【０００２】
従来、ポリエチレンテレフタレートなどの熱可塑性樹脂を用いて有底筒状のプリフォームを形成し、次いで、このプリフォームを二軸延伸ブロー成形などによってボトル状に成形してなる合成樹脂製の容器が、各種飲料品、各種調味料等を内容物とする容器として広い分野で一般的に利用されている。
【０００３】
また、この種の合成樹脂製容器に内容物を充填するに際しては、加熱滅菌された内容物を高温のまま充填、密封する、いわゆるホットパックも知られている。
ホットパックにより内容物を充填、密封した後、常温に冷却された容器内は減圧状態となるため、通常、ホットパックに供される容器には、容器内の圧力減少に伴って容積が減じるように変形し、これによって、容器内の圧力減少を吸収する減圧吸収機能が付与されている。
【０００４】
例えば、特許文献１には、容器胴部が上部胴部、中部胴部、及び下部胴部からなる扁平ボトルが記載されている。かかる扁平ボトルでは、内方に変形可能な前後壁と外方に変形可能な左右側壁とからなる楕円形状の扁平な横断面を有する中部胴部が、容器内の圧力減少に伴って短径方向に収縮するとともに、長径方向に膨張するように変形することで（特許文献１の図６参照）、前後壁を減圧吸収面として容器内の圧力減少を吸収できるようにしている。
【先行技術文献】
【特許文献】
【０００５】
【特許文献１】特開２００１−４８１４７号公報
【発明の概要】
【発明が解決しようとする課題】
【０００６】
しかしながら、この種の合成樹脂製容器にあっては、従前より、その軽量化や、使用樹脂量の削減による低コスト化のために、可能な限り容器を薄肉に成形する試みがなされているが、近年にあっては、このような薄肉化の要求が益々厳しくなってきている。そして、容器の薄肉化が進むほど、減圧吸収時に減圧吸収面が不規則に歪んで変形するなどして、減圧吸収後の容器が不定形状に変形して外観不良となってしまうという傾向が見受けられる。
【０００７】
特に、ブロー成形によってプリフォームを延伸させて特許文献１のような扁平な容器を成形しようとすると、プリフォームは長径方向に大きく延伸し、長径方向両端側の部分がより薄肉に成形されるが、このような肉厚の偏りが生じてしまうと、減圧吸収面の歪みによって、短径方向に対向する一対の減圧吸収面の均等な変形を妨げてしまうという傾向がより強くなる。
【０００８】
なお、特許文献１では、プリフォームの厚みを左右壁に対応する部分を肉厚にして、ブロー成形された容器の肉厚が均一になるようにしている（特許文献１の［００１７］参照）。しかしながら、このようにしたのでは、プリフォームをブロー成形型にセットする際の位置合わせが必要になるだけでなく、プリフォームが均一な厚さで延伸するように、プリフォームの周方向の肉厚変化に応じた加熱処理が必要になるなど煩雑な手間が強いられてしまう。
【０００９】
本発明は、上記したような事情に鑑みてなされたものであり、容器の薄肉化を図りながらも、ホットパックにより内容物を充填、密封する際に容器内の圧力変化を吸収する減圧吸収面の不規則な歪んだ変形を抑止し、外観不良を生じることなく、十分な減圧吸収性能を発揮することができる合成樹脂製容器の提供を目的とする。
【課題を解決するための手段】
【００１０】
本発明に係る合成樹脂製容器は、口部、肩部、胴部、及び底部を備え、前記胴部が、コーナーを円弧状に丸めた矩形状の横断面形状を有する胴部上端部及び胴部下端部と、前記胴部上端部と前記胴部下端部との間に位置し、前記胴部上端部と前記胴部下端部に対して、容器内方に絞り込まれた胴部主部とを含み、前記胴部主部が、高さ方向に沿って容器内方に凸となるように湾曲し、かつ、横幅方向に沿って容器外方に凸となるように湾曲するベース面を有し、前記ベース面の横幅方向中央部に、高さ方向及び横幅方向に沿って容器内方に凸となる曲面によって形成された帯状の減圧吸収誘導部が、高さ方向に延在して設けられた主面と、高さ方向に沿って容器内方に凸となるように湾曲する側面とを備える構成としてある。
【発明の効果】
【００１１】
本発明によれば、容器の薄肉化を図りながらも、ホットパックにより内容物を充填、密封する際に容器内の圧力変化を吸収する減圧吸収面の不規則な歪んだ変形を抑止し、外観不良を生じることなく、十分な減圧吸収性能を発揮させることができる。
【図面の簡単な説明】
【００１２】
【図１】本発明の第一実施形態に係る合成樹脂製容器の概略を示す説明図であり、（ａ）は正面図、（ｂ）は側面図、（ｃ）は平面図である。
【図２】図１（ａ）のＡ−Ａ断面〜Ｇ−Ｇ断面におけるそれぞれの切断面を示す端面図であり、（ａ）はＡ−Ａ端面図、（ｂ）はＢ−Ｂ端面図、（ｃ）はＣ−Ｃ端面図、（ｄ）はＤ−Ｄ端面図、（ｅ）はＥ−Ｅ端面図、（ｄ）はＤ−Ｄ端面図、（ｅ）はＥ−Ｅ端面図、（ｆ）はＦ−Ｆ端面図、（ｇ）はＧ−Ｇ端面図である。
【図３】図１（ａ）のＨ−Ｈ断面における切断面を示す端面図である。
【図４】図１（ｂ）のＩ−Ｉ断面における切断面を示す端面図である。
【図５】双曲放物面の一例を示す説明図である。
【図６】楕円放物面の一例を示す説明図である。
【図７】本発明の第二実施形態に係る合成樹脂製容器の概略を示す説明図であり、（ａ）は正面図、（ｂ）は側面図、（ｃ）は平面図である。
【図８】図７（ａ）のＬ−Ｌ断面における切断面を示す端面図である。
【発明を実施するための形態】
【００１３】
以下、本発明の好ましい実施形態について、図面を参照しつつ説明する。
【００１４】
［第一実施形態］
まず、本発明の第一実施形態について説明する。
【００１５】
図１に本実施形態の一例を示すが、図１に示す容器１は、口部２、肩部３、胴部４、及び底部５を備えており、平面視した形状が、概ね横長の矩形とされた容器形状を有している（図１（ｃ）参照）。
なお、図２は、図１（ａ）のＡ−Ａ断面〜Ｇ−Ｇ断面におけるそれぞれの切断面を示す端面図であり、図３は、図１（ｂ）のＨ−Ｈ断面における切断面を示す端面図であるが、これらの端面図では容器１の肉厚を適宜省略している。
【００１６】
このような容器１は、例えば、熱可塑性樹脂を使用して射出成形や圧縮成形などにより有底筒状のプリフォームを成形し、このプリフォームを二軸延伸ブロー成形などにより所定の容器形状に成形することによって製造される。
【００１７】
容器１を製造するにあたり、使用する熱可塑性樹脂としては、ブロー成形が可能な任意の樹脂を使用することができる。具体的には、ポリエチレンテレフタレート，ポリブチレンテレフタレート，ポリエチレンナフタレート，ポリカーボネート，ポリアリレート，ポリ乳酸又はこれらの共重合体などの熱可塑性ポリエステル，これらの樹脂あるいは他の樹脂とブレンドされたものなどが好適である。特に、ポリエチレンテレフタレートなどのエチレンテレフタレート系熱可塑性ポリエステルが、好適に使用される。また、アクリロニトリル樹脂，ポリプロピレン，プロピレン−エチレン共重合体，ポリエチレンなども使用することができる。
【００１８】
口部２は、内容物の取り出し口となる円筒状の部位であり、かかる口部２には、容器内を密封する図示しない蓋体が取り付けられる。口部２の下端は、横断面形状が異なる口部２と胴部４との間をつなぐ肩部３に連接しており、肩部３は、口部２の下端側から胴部４に向かって、その横断面形状が、コーナーが円弧状に丸められた横長の矩形状となるように、横幅方向に大きく、かつ、厚み方向（図１（ａ）に示す平面図における奥行方向）に小さく拡径して、胴部４の上端に連接している。
【００１９】
胴部４は、容器１の高さ方向の大半を占める部位であり、肩部３に連接する上端側が胴部上端部４１とされ、底部５に連接する下端側が胴部下端部４２とされている。そして、胴部上端部４１と胴部下端部４２との間に位置する部位が、胴部主部４０とされており、この胴部主部４０が変形することで減圧吸収機能が奏されるが、これについては後述する。
【００２０】
ここで、高さ方向とは、口部２を上にして容器１を水平面に正立させたときに、水平面に直交する方向をいうものとし、この状態で容器１の上下左右及び縦横の方向を規定するものとする。
【００２１】
胴部上端部４１は、コーナーを円弧状に丸めた矩形状の横断面形状を有しており（図２（ａ）参照）、その上端が、同様の横断面形状に拡径した肩部３の下端に連接している。胴部下端部４２も胴部上端部４１と同様の横断面形状とされており（図２（ｇ）参照）、胴部上端部４１と胴部下端部４２は、横幅方向の長さｗと、厚み方向の長さｄを同じにして、両者の長辺側の面と短辺側の面のそれぞれが、概ね同一平面上に位置するようにしている（図１（ｃ）参照）。
このようにすることで、隣接する容器同士が当該面で接するようにして、容器１を整列させ易くしているが、胴部上端部４１と胴部下端部４２の一方又は両方は、必要に応じて適宜省略することができる。
【００２２】
また、胴部主部４０は、胴部上端部４１と胴部下端部４２に対して、容器内方に絞り込まれた形状を有しており、長辺側に配置される胴部主部４０の主面４０ａは、高さ方向に沿って容器内方に凸となるように湾曲し、かつ、横幅方向に沿って容器外方に凸となるように湾曲するベース面を有している。一方、短辺側に配置される胴部主部４０の側面４０ｂは、高さ方向に沿って容器内方に凸となるように湾曲している。そして、このように形成された胴部主部４０の横断面形状は、図２に示すように、胴部上端部４１側と胴部下端部４２側のそれぞれから、胴部主部４０の高さ方向中央部に向かって、胴部上端部４１と胴部下端部４２のそれぞれに対して、円弧状に丸められたコーナーの曲率半径を徐々に大きくしながら、横幅方向と厚み方向に縮径している。
【００２３】
また、胴部主部４０の主面４０ａには、そのベース面の横幅方向中央部に、高さ方向及び横幅方向に沿って容器内方に凸となる曲面によって形成された減圧吸収誘導部６が、高さ方向に延在して設けられている。換言すれば、減圧吸収誘導部６は、胴部主部４０の主面４０ａのベース面の横幅方向中央部の上端側から下端側に至る範囲を、高さ方向及び横幅方向に沿って容器内方に凸となる曲面に置き換えることによって形成されている。
【００２４】
ここで、胴部主部４０の主面４０ａのベース面は、例えば、双曲放物面状に形成することができる。すなわち、双曲放物面は、三次元直交座標系において関数Ｆ（Ｘ，Ｙ）＝ａＸ２−ｂＹ２（ａ，ｂは正の定数）で表される曲面であり、その一例を図４に示すが、胴部主部４０の主面４０ａのベース面は、概ね双曲放物面とみなせる曲面によって形成することができる。
また、減圧吸収誘導部６は、例えば、楕円放物面状に形成することができる。すなわち、楕円放物面は、三次元直交座標系において関数Ｆ（Ｘ，Ｙ）＝ａＸ２+ｂＹ２（ａ，ｂは正の定数）で表される曲面であり、その一例を図５に示すが、減圧吸収誘導部６は、概ね楕円放物面とみなせる曲面によって形成することができる。
【００２５】
このようにして、減圧吸収誘導部６が設けられた胴部主部４０の主面４０ａは、内容物をホットパックした後に、常温に冷却されて容器内が減圧状態になったときに、減圧吸収誘導部６が容器内方に引き寄せられるようにして、主面４０ａの全体が容器内方に変形する。これによって、容器１の容積が減じられ、内圧の減少分が吸収される。
【００２６】
この際、減圧吸収誘導部６の両側に位置する面は、減圧吸収誘導部６に誘導されて左右均等に変形し、双曲放物面状のベース面を有していることと相俟って、主面４０ａの不規則な歪んだ変形を抑止することができる。その結果、減圧吸収後の容器１が、不定形状に変形して外観不良を生じたりすることなく、十分な減圧吸収性能を発揮させることができる。
【００２７】
このような効果が良好に奏されるように、減圧吸収誘導部６は、横幅方向中央の高さ方向に沿った曲率半径が１００〜５００ｍｍ（好適には、１５０〜３００ｍｍ）、高さ方向中央の横幅方向に沿った曲率半径が２０〜２００ｍｍ（好適には、５０〜１００ｍｍ）の楕円放物面状に形成するのが好ましい。さらに、減圧吸収誘導部６の高さ方向に沿った曲率半径は、横幅方向に沿ってほぼ一定であるのが好ましく、横幅方向に沿った曲率半径は、高さ方向に沿ってほぼ一定であるのが好ましい。
【００２８】
また、胴部主部４０の主面４０ａが容器内方に変形すると、それに伴って、胴部主部４０は横幅方向に膨らむようにも変形する。そうすると、例えば、内容物の充填工程において、容器１を安定に把持して搬送するには、胴部４の短辺側を把持することが考えられるが、胴部主部４０が許容範囲を超えて横幅方向に大きく変形してしまうと、搬送ターレットの把持部に把持できずに搬送詰まりを起こしてしまうことが懸念される。
【００２９】
このため、胴部主部４０の短辺側には、高さ方向に沿って容器内方に凸となるように湾曲する側面４０ｂが配置されており、これによって、胴部主部４０の横幅方向への膨らみを抑制している。すなわち、胴部主部４０の横断面形状を楕円形状とすると、その短径方向内方に変形したときに、長径方向の両端の円弧が先細り状に押し潰されて突出するように変形することとなり、横幅方向の膨らみが大きくなってしまうが、高さ方向に沿って容器内方に凸となるように湾曲させた側面４０ｂを短辺側に配置することで、横断面形状を楕円形状とした場合に比べて、横幅方向への膨らみを抑制することができる。
【００３０】
さらに、胴部主部４０の横幅方向への膨らみを抑制する上で、当該側面４０ｂには、横断面形状が容器内方に湾曲する凹形状となる縦溝７を高さ方向に沿って形成するのが好ましい（図２（ｃ）〜（ｅ）参照）。
なお、容器１をブロー成形するにあたっては、通常、ブロー成形型のパーティングラインが当該側面４０ｂの横幅方向中央に位置するように金型を設計するが、このとき、成形後の型開きに支障をきたさないように、当該側面４０ｂに設ける縦溝７の具体的な形状、深さ、幅などは、無理抜きが可能な範囲で適宜設計する。
【００３１】
また、胴部主部４０の主面４０ａに減圧吸収誘導部６を設けるにあたり、胴部主部４０の高さ方向中央部が、減圧吸収時に最も大きく変形する傾向にあることを考慮すると、減圧吸収誘導部６は、その両側縁部間の間隔が、胴部主部４０の高さ方向中央部で最少となるように、高さ方向に沿って徐々に狭まるように形成するのが好ましい。
このようにすることで、減圧吸収性能をより向上させることができる。
【００３２】
また、減圧吸収誘導部６の横幅方向に沿った曲率半径は、高さ方向に沿ってほぼ一定であるのが好ましいのは前述した通りであるが、このように形成された減圧吸収誘導部６の両側縁部間の間隔が、胴部主部４０の高さ方向中央部で最少であれば、減圧吸収誘導部６の深さ（減圧吸収誘導部６の両側縁部と最深部との高低差）も、胴部主部４０の高さ方向中央部で最少となり、容器内方への突出量を少なくすることができる。
ブロー成形型にプリフォームをセットして容器１をブロー成形するに際し、プリフォームは径方向に延伸されるとともに、軸方向にも延伸され、ブロー成形型のキャビティ面に形成される胴部主部４０の高さ方向中央部を転写形成する部位が、キャビティ内に大きく突出していると、プリフォームの軸方向への延伸を阻害してしまう虞がある。胴部主部４０の高さ方向中央部の容器内方への突出量を少なくすることで、このような虞を低減することができる。
【００３３】
また、減圧吸収誘導部６は、胴部主部４０の主面４０ａの上端側から下端側に至る帯状に設けられるが、減圧吸収誘導部６の上端縁部を上方に凸の円弧状に形成するとともに、減圧吸収誘導部６の下端縁部を下方に凸の円弧状に形成するのが好ましい。このとき、円弧状とされた上端縁部及び下端縁部の曲率半径は、１０〜４０ｍｍであるのが好ましく、１５〜２５ｍｍであるのがより好ましい。
このようにすることで、減圧吸収誘導部６の上端縁部及び下端縁部のそれぞれに接続する部位によって、減圧吸収誘導部６の容器内方への変形が妨げられないようにすることができ、当該部位との境目における減圧吸収誘導部６のスムーズな変形を促して、減圧吸収性能をより向上させることができる。
【００３４】
そして、このようにした場合には、減圧吸収誘導部６がよりスムーズに変形するように、減圧吸収誘導部６の上端縁部と下端縁部の両方又一方には、その円弧状とされた形状に沿って横リブ６ａ，６ｆを設けるのが好ましい。
なお、図示する例にあっては、胴部下端部４２の長辺側の面に、減圧吸収誘導部６の下端縁部に設けた横リブ６ｆと同様の形状とされた凹溝４２ａが設けられている。かかる凹溝４２ａは、ブロー成形後の離型時に、当該面がキャビティ面に貼り付いてしまうのを防いで、当該面にヒケと称される歪みが発生しないようにするために設けられており、意匠面から横リブ６ｆと同様の形状としているが、その形状は特に限定されない。
【００３５】
また、減圧吸収誘導部６に横リブを設けるのは、対向する一対の主面４０ａが容器内方に変形する際に、横幅方向に互いに逆向きにズレて捩れるように変形してしまうのを抑止する上でも好ましい。このため、減圧吸収誘導部６の上端縁部と下端縁部の両方又一方に形成した横リブ６ａ，６ｆに代えて、又は、かかる横リブ６ａ，６ｆとともに、減圧吸収誘導部６には、横幅方向に延在する一又は複数の横リブ６ｂ，６ｃ，６ｄ，６ｅを設けるのが好ましい。これらの横リブ６ａ，６ｂ，６ｃ，６ｄ，６ｅ，６ｆは、凹溝として設けてもよく、凸条として設けてもよい。
【００３６】
ここで、図示する例では、減圧吸収誘導部６の上端縁部側に、減圧吸収誘導部６の上端縁部に設けた横リブ６ａとともに、四つの横リブ６ｂ，６ｃ，６ｄ，６ｅを設けているが、これら五つの横リブ６ａ，６ｂ，６ｃ，６ｄ，６ｅは、その縦断面形状がＶ字状の凹溝として設けている。
【００３７】
ブロー成形型にプリフォームをセットして容器１をブロー成形するに際し、プリフォームは径方向に延伸されるとともに、軸方向にも延伸されるのは前述した通りである。このとき、長辺側の主面４０ａに凹溝とされた横リブを転写形成するための凸部がキャビティ面に形成されていると、プリフォームが軸方向に延伸される際に当該凸部に引っ掛り、成形された容器１の横リブの上方に樹脂だまりができてしまう虞がある。凹溝とされた横リブが容器１の上方に位置するほど、このような樹脂だまりができ易く、樹脂だまりができた部分は、樹脂量の多い厚肉の部分となり、他の部分と比較して成形後の冷却速度が遅いため、熱結晶化して脆化してしまう虞がある。
本実施形態では、胴部主部４０の横断面形状が横長の矩形状とされており、ブロー成形する際に、径方向に延伸したプリフォームは、先に、その長辺側の主面４０ａを成形するキャビティ面に到達するため、このような不具合が生じ易い。
【００３８】
このため、減圧吸収誘導部６の上方側に設けられる横リブ６ａ，６ｂ，６ｃ，６ｄ，６ｅを凹溝として設ける場合には、その縦断面形状をＶ字状とするのが好ましく、かかる横リブ６ａ，６ｂ，６ｃ，６ｄ，６ｅを転写形成する凸部の縦断面形状をＶ字状とすることで、軸方向に延伸されるプリフォームが当該凸部に引っ掛り難くして、横リブ６ａ，６ｂ，６ｃ，６ｄ，６ｅの上方に樹脂だまりができてしまうのを抑止することができる。
【００３９】
凹溝として設けられた横リブ６ａ，６ｂ，６ｃ，６ｄ，６ｅの縦断面形状をＶ字状とするにあたり、当該横リブ６ａ，６ｂ，６ｃ，６ｄ，６ｅを形成する上側傾斜面と下側傾斜面は、水平面に対する傾斜角度が同一であっても、異なっていてもよい。横リブ６ａ，６ｂ，６ｃ，６ｄ，６ｅの上方に樹脂だまりができてしまうのをより効果的に抑止するには、上側傾斜面の方が水平面に対してより大きく傾斜しているのが好ましい。
【００４０】
なお、横リブ６ａ，６ｂ，６ｃ，６ｄ，６ｅ，６ｆの全て、又は少なくとも一つを凸条として設けると、容器１を手で持つときの滑り止めにもなり、使用者の使い勝手を良くする上で有効である。このような態様とする場合には、減圧吸収誘導部６の上下端部をむすぶ垂直面から突出しないように、凸条の高さなどを設計するのが好ましいが、減圧吸収誘導部６は、容器内方に凸となる曲面によって形成されるので、そのような設計も容易である。
【００４１】
［第二実施形態］
次に、本発明の第二実施形態について説明する。
なお、図７（ａ）は、本実施形態に係る合成樹脂製容器の概略を示す正面図、図７（ｂ）は、同側面図、図７（ｃ）は、同平面図であり、図７（ａ）のＪ−Ｊ断面における切断面を示す端面図は、図３と同一にあらわれる。また、図７（ｂ）のＫ−Ｋ断面における切断面を示す端面図は、図４と同一にあらわれる。
【００４２】
本実施形態では、図７（ａ），（ｂ）及び図８に示すように、胴部主部４０の短辺側に配置した側面４０ｂに、その横幅方向中央に前述した縦溝７を設けるとともに、かかる縦溝７の左右両側に設けた延長部８を介して、当該側面４０ｂを主面４０ａに接続させている。このようにすることで、胴部主部４０の短辺側に配置した側面４０ｂの横幅方向の長さを確保して、対向する一対の主面４０ａが容器内方に変形する際に、横幅方向に互いに逆向きにズレて捩れるように変形してしまうのをより有効に抑止することができる。
【００４３】
このような延長部８を設けるにあたり、その横断面形状は、図示するような円弧状とした場合、その曲率半径は、２０〜５０ｍｍであるのが好ましく、２５〜３５ｍｍであるのがより好ましい。
なお、延長部８の横断面形状は直線状であってもよい。
【００４４】
本実施形態に係る容器１は、上記の点で第一実施形態と異なっているが、他の構成は第一実施形態と同様であるため、重複する説明は省略する。
【００４５】
以上、本発明について、好ましい実施形態を示して説明したが、本発明は、前述した実施形態にのみ限定されるものではなく、本発明の範囲で種々の変更実施が可能であることはいうまでもない。
【００４６】
すなわち、本発明は、高さ方向に沿って容器内方に凸となるように湾曲し、かつ、横幅方向に沿って容器外方に凸となるように湾曲するベース面を有し、このベース面の横幅方向中央部に、高さ方向及び横幅方向に沿って容器内方に凸となる曲面によって形成された減圧吸収誘導部６が、高さ方向に延在して設けられた主面４０ａと、高さ方向に沿って容器内方に凸となるように湾曲する側面４０ｂとを備える胴部主部４０を胴部４が含んでいれば、これ以外の細部の構成は、前述した実施形態に限定されることなく適宜変更することができる。また、前述した実施形態で説明した細部の構成を適宜取捨選択して組み合わせることもできる。
【００４７】
また、前述した実施形態において、図示した容器１は、容量が２００ｍＬ、高さｈが約１２５ｍｍ、横幅方向の長さｗが約６０ｍｍ、厚み方向の長さｄが約４５ｍｍであるが、容器１の容量、寸法などは、本発明の効果が奏される範囲で適宜変更することができる。
【産業上の利用可能性】
【００４８】
以上のような本発明は、ホットパックにより内容物を充填、密封する際の容器内の圧力変化を吸収可能な合成樹脂製容器として利用することができる。
【符号の説明】
【００４９】
１          容器
２          口部
３          肩部
４          胴部
４０          胴部主部
４０ａ          主面
４０ｂ          側面
５          底部
６          減圧吸収誘導部
６ａ〜ｆ          横リブ
７          縦溝
８          延長部
【図１】
0006707884.tif 000002
【図２】
0006707884.tif 000003
【図３】
0006707884.tif 000004
【図４】
0006707884.tif 000005
【図５】
0006707884.tif 000006
【図６】
0006707884.tif 000007
【図７】
0006707884.tif 000008
【図８】
0006707884.tif 000009